(57)【特許請求の範囲】
【請求項１】
注水タンクの栓取付キャップに対して、吐出口が外側にも内側にもなるように取付けられる注水栓の螺着筒内、または前記栓取付キャップの螺着穴内に嵌入されるキャップ本体と、このキャップ本体と一体化されて前記注水タンクの取手等に連結される取付部と、この取付部の一部に一体化したコップ掛けと、前記取付部の前記キャップ本体とは反対側部に形成されて、広げたとき前記キャップ本体全体を通すことのできる長さの切込部とを備とを備えたことを特徴とする注水タンクのための防塵部材。
【発明の詳細な説明】
【０００１】
【発明の属する技術分野】
本発明は、飲料水等を野外に持っていくための注水タンクのための防塵部材に関するものである。
【０００２】
【従来の技術】
近年においては、野外におけるスポーツやキャンプ等のレジャーを楽しむことが多くなされるようになってきており、その場合に必需品となりつつあるのが、お茶や飲料水等を持っていくための注水タンクである。この種の注水タンクとしては、例えば実開平６−６７３５６号公報や実開平７−３５３５６号公報中に示されているものが知られている。
【０００３】
これらの公報に示されているように、この種の注水タンクは、その本体を合成樹脂を材料としてブロー成形等により一体成形するとともに、本体とは別体に形成した注水栓を設けることが一般に行われている。そして、この注水栓３０は、図１１の（イ）に示すように、注水タンク２０内の飲料水等を注ぎ出すときは、その吐出口３３が外方となるようにしながら、注水タンク２０側の栓取付キャップ２１の略中央に形成してある螺着穴２２内に、螺着筒３１を螺着するものである。
【０００４】
このような注水栓３０は、注水タンク２０の運搬時や保管時に外に突出したままであると邪魔になったり、何かに当って破損しかねないので、図１１の（ロ）に示したように、注水タンク２０内に収納した状態で栓取付キャップ２１に取り付けられるものである。
【０００５】
ところで、このような注水栓３０の螺着筒３１は吐出口３３と連通するものであるから、もし、図１１の（ロ）に示したように取付けたままにしたとすると、螺着筒３１の端部が外方に露出することになり、当該注水タンク２０の運搬時や保管時等において、この螺着筒３１内にホコリや土等がはいることになる。このため、そのまま図１１の（イ）に示したように使用すると、ホコリや土等が飲料水等の中に混入してしまうことになるから好ましくない。
【０００６】
このため、上述した実開平６−６７３５６号公報の注水タンク２０では、その螺着穴２２内に嵌合するキャップを栓取付キャップ２１の下端に取り付けておくことが、当該公報の図１に示されている。この方法だと、確かに螺着穴２２をキャップによって覆蓋することができて、吐出される飲料水中にホコリや土等が混入しないようにすることができると考えられるのであるが、注水栓３０を栓取付キャップ２１の外側に取付けてこの栓取付キャップ２１を締める場合に、この栓取付キャップ２１に一体化してあるキャップが非常に邪魔になるものである。
【０００７】
また、実開平７−３５３５６号公報の注水タンク２０では、２種類の口径のキャップを用意して、これらを注水栓３０の使用状況に合わせて使い分けなければならないものとなっていて、使用するのに不便なものとなっている。
【０００８】
さらに、上記両公報に示されたキャップのいずれもが注水タンク２０の螺着穴２２または注水栓３０の螺着筒３１内へのホコリや土の侵入を防止することはできるが、それ以上の機能を有してはいないものである。すなわち、この種の注水タンク２０においては吐出された飲料水等を受けるもの、例えば図１に示すようなコップ４０が必ず使用されるのであるが、このコップ４０を注水タンク２０側に一体化できるようであると便利である。このコップ４０の注水タンク２０に対する一体化については、上記両公報中の発明は、いずれも考慮していないものである。
【０００９】
そこで、本発明者は、この種の注水タンク２０の注水栓３０について使用されるキャップについて、より一層便利なものとするにはどうしたらよいかについて種々検討を重ねてきた結果、本発明を完成したのである。
【００１０】
【発明が解決しようとする課題】
本発明は、この種の注水タンク２０についての上記のような実状に鑑みてなされたもので、その解決しようとする課題は、キャップの使用をより便利にすることである。
【００１１】
すなわち、本発明の目的とするところは、注水タンク２０における栓取付キャップ２１の螺着穴２２または注水栓３０の螺着筒３１内へのホコリや土の侵入を防止することができることは当然として、栓取付キャップ２１の螺着操作に全く邪魔にならず、しかもコップ４０の取付けをも行うことのできる防塵部材１０を、簡単な構成によって提供することにある。
【００１２】
【課題を解決するための手段】
以上の課題を解決するために、本発明の採った手段は、後述する実施の形態の説明中において使用する符号を付して説明すると、
「注水タンク２０の栓取付キャップ２１に対して、吐出口３３が外側にも内側にもなるように取付けられる注水栓３０の螺着筒３１内、または栓取付キャップ２１の螺着穴２２内に嵌入されるキャップ本体１１と、このキャップ本体１１と一体化されて注水タンク２０の取手２３等に連結される取付部１２と、この取付部１２の一部に一体化したコップ掛け１３と、取付部１２のキャップ本体１１とは反対側部に形成されて、広げたときキャップ本体１１全体を通すことのできる長さの切込部１２ａとを備えたことを特徴とする注水タンクのための防塵部材１０」
である。
【００１３】
すなわち、本発明に係る防塵部材１０は、図１及び図２に示すように、キャップ本体１１、取付部１２及びコップ掛け１３を一体化したものであり、図６に示すように、吐出口３３が注水タンク２０内となるようにして注水タンク２０の栓取付キャップ２１の螺着穴２２に螺着した注水栓３０の螺着筒３１内、または栓取付キャップ２１の螺着穴２２内に、キャップ本体１１を外方から嵌入させて、螺着筒３１または螺着穴２２内にホコリや土等の侵入を防止するようにしたものである。そして、この防塵部材１０は、そのキャップ本体１１を栓取付キャップ２１または螺着筒３１から外しても、その取付部１２によって注水タンク２０の取手２３等に連結しておくことにより、注水タンク２０と一体的なものとしておくことができて、紛失するおそれは全くない。
【００１４】
勿論、この防塵部材１０のキャップ本体１１は、螺着筒３１または螺着穴２２内へのホコリや土等の侵入を防止することができる他、例えば注水栓３０のコック３２を正しく閉めなかったとき等の、注水タンク２０内からの所謂液漏れを防止することもできるものである。
【００１５】
また、この防塵部材１０は、その取付部１２の一部にコップ掛け１３が一体的に形成してあるので、このコップ掛け１３に、図１に示すように、コップ４０の取手を掛けることができるのである。従って、この防塵部材１０は、注水タンク２０の使用時に必需品となるコップ４０を、注水タンク２０の近傍に常に配置しておくことができるのであり、かつコップ掛け１３に対するコップ４０の取付け・取外しを容易に行うことができるものとなっているのである。さらに、この防塵部材１０は、その取付部１２の、キャップ本体１１とは反対側部に、広げたときキャップ本体１１全体を通すことのできる長さの切込部１２ａを形成したから、この切込部１２ａを広げればキャップ本体１１全体を通すことができて、この防塵部材１０の、注水タンク２０の取手２３に対する連結が行えるのである。
【００１６】
以上の各機能を有する本発明の防塵部材１０は、上述した構成を有したものであるため、その製造を簡単に行えて、しかも安価に提供することのできるものとなっているのである。
【００１７】
【発明の実施の形態】
以上のように構成した本発明を、図面に示した実施の形態である防塵部材１０について説明すると、図１には、この防塵部材１０を注水タンク２０の取手２３等に連結するとともに、この防塵部材１０のコップ掛け１３にコップ４０を掛けた状態の斜視図が示してある。なお、図１〜図６は、本発明の第１実施例を示し、図７〜図１０は同第２実施例を示している。
【００１８】
この防塵部材１０は、合成樹脂等を材料として、ある程度の可燃性を有したものとして一体成形したものであり、図２〜図５に示したように、キャップ本体１１と、これと一体的な取付部１２と、この取付部１２と一体的な２つのコップ掛け１３とにより構成したものである。
【００１９】
なお、この防塵部材１０を形成する材料としては、ポリプロピレンを代表とする合成樹脂が採用すること好ましい。このポリプロピレンを採用する理由は、防塵部材１０は、その取付部１２によって注水タンク２０側に連結しなければならないものであるため、連結し易くするための弾性が必要だからであり、またそのキャップ本体１１を螺着穴２２または螺着筒３１内に嵌入することによってこれらのある程度の密閉を行なわなければならいが、その場合にキャップ本体１１にある程度の剛性が必要だからである。
【００２０】
キャップ本体１１は、図３、図５及び図６に示したように、注水タンク２０側の栓取付キャップ２１の略中央に形成した螺着穴２２、またはこの螺着穴２２内に螺着される注水栓３０の螺着筒３１の外径より大きな直径を有する円板上の蓋部１１ｂを有したもので、この蓋部１１ｂの一面には、螺着穴２２または螺着筒３１内に嵌入される十字状の挿入部１１ａが一体的に形成してある。挿入部１１ａは、螺着穴２２または螺着筒３１内に嵌入されたとき、これに対して摩擦力によって保持されるものであればどのような形状のものであってもよいが、本実施形態では、合成樹脂による型成形が容易であること、各翼片の端面のみで摩擦力を発生させるようにして、螺着穴２２または螺着筒３１内への嵌入それ自体も容易に行えるようにすること、等の理由によって４つの翼所を有した十字状のものとしてある。従って、これらの翼片の数は自由に変更できるものである。
【００２１】
取付部１２は、図１〜図６に示したように、キャップ本体１１と一体的なひも状のものであり、そのキャップ本体１１とは反対側部には、図３及び図５に示したように、切込部１２ａが形成してある。この切込部１２ａは、これを広げるとキャップ本体１１全体を中に通すことのできる程度の長さを有しているものであり、これを利用して該当防塵部材１０を、図１または図６に示すように、注水タンク２０の取手２３に連結することができるようにするものである。なお、この取付部１２のキャップ本体１１に近接した部分は、図３〜図５に示したように指掛部１２ｂとしてあり、この指掛部１２ｂによって、キャップ本体１１を螺着穴２２または螺着筒３１内から外す場合の操作を行い易くしているものである。
【００２２】
コップ掛け１３は、図１、図３及び図５に示したように、取付部１２の略中央の両側にそれぞれ一体形成した略半円弧状のものであり、その先端部を取付部１２より切り離すことにより、挿入口１３ａを形成したものである。この挿入口１３ａの存在によって、各コップ掛け１３は折曲自在となっているものであり、これによりコップ４０の取手の挿入を容易となるようにしているのである。なお、各コップ掛け１３の一面には、図５にも示すように、その強度をある程度高めるためのスジ状の補強部１３ｂが一体的に形成してある。
【００２３】
なお、本実施形態の防塵部材１０が対象としている注水タンク２０は、図１及び図６に示すように、栓取付キャップ２１の近傍に当該注水タンク２０を持ち運ぶための取手２３が一体的にブロー成形してあるものである。従って、防塵部材１０を注水タンク２０に取り付ける場合には、この取手２３に取付部１２の一部を通して前述したような取付けを行えばよいが、この取手２３がないものについては、取付部を形成しておけばよいものである。
【００２４】
また、この注水タンク２０において採用されている注水栓３０は、図１１に示したように、吐出口３３に連通する螺着筒３１と、この螺着筒３１と吐出口３３との間に設けたコック３２を有したもので、注水タンク２０の開口に螺着される栓取付キャップ２１の螺着穴２２に対して、その螺着筒３１を栓取付キャップ２１の外側または内側から螺着されるものである。この螺着筒３１を、図１１の（イ）に示したように、栓取付キャップ２１の螺着穴２２に外側から螺着すれば、注水タンク２０内の飲料水等をコック３２の操作によって吐出させることができるものであり、図１１の（口）に示したように、栓取付キャップ２１の螺着穴２２に内側から螺着するようにすれば、当該注水栓３０を、注水タンク２０に収納して邪魔にならないようにすることができるのである。
【００２５】
図７〜図１０には、本発明に係る防塵部材１０の第２実施例が示してある。この防塵部材１０では、図９に示したように、１つのコップ掛け１３をキャップ本体１１とは反対側の部分に一体化したことが、前述した実施例のものとは異なっているのみで、他は同じである。このように、キャップ本体１１の反対側に１つのコップ掛け１３を設けておくことにより、図６に示したように、栓取付キャップ２１の螺着穴２２または注水栓３０の螺着筒３１に、液漏れ防止のために、キャップ本体１１を嵌入させたとき、この注水栓３０、またはこの注水栓３０に掛けられているコップ４０の存在位置を明確に示すものとなる。このため、コップ４０をコップ掛け１３に掛けること、または、コップ掛け１３からコップ４０を外すことを迷うことなく行えることになる。
【００２６】
なお、図７〜図１０に示したついて、図１〜図６に示した防塵部材１０と共通する部分については、図中に同一符号を付してその詳細な説明は省略する。
【００２７】
以上のいずれの実施例においても、コップ掛け１３の形状を半円形のものとしたが、これらのコップ掛け１３の形状は、その他の例えば三角形や四角形、あるいは動物の手等を模したものとして実施してもよいことは勿論である。また、このコップ掛け１３の数についても、上記の実施例に限られず、３個以上のものとして実施してもよいものであることは、当然である。
【００２８】
【発明の効果】
以上詳述した通り、本発明においては、上記の実施形態中において例示した如く、栓取付キャップ２１の螺着穴２２または注水栓３０の螺着筒３１内に嵌入される十字状のキャップ本体１１と、このキャップ本体１１を一端側に一体化した長尺な取付部１２と、この取付部１２の一部に一体的に設けたコップ掛け１３と、取付部１２のキャップ本体１１とは反対側部に形成されて、広げたときキャップ本体１１全体を通すことのできる長さの切込部１２ａとにより防塵部材１０を構成したことにその特徴があり、これにより、注水タンク２０における栓取付キャップ２１の螺着穴２２または注水栓３０の螺着筒３１内へのホコリや土の侵入を防止することができることは当然として、栓取付キャップ２１の螺着操作に全く邪魔にならず、しかもコップ４０の取付けをも行うことができ、さらに注水タンク２０の取手２３に対する連結が行える防塵部材１０を、簡単な構成によって提供することができるのである。
【図面の簡単な説明】
【図１】本発明の第１実施例に係る防塵部材を、その取付部によって注水タンクの取手に連結して、１つのコップ掛けにコップを掛けた状態を示す斜視図である。
【図２】同防塵部材の拡大斜視図である。
【図３】同防塵部材の平面図である。
【図４】同防塵部材の側面図である。
【図５】同防塵部材の座面図である。
【図６】同防塵部材のキャップ本体によって、栓取付キャップの螺着穴または注水栓の螺着筒を閉じたときの状態を示す注水タンクの斜視図である。
【図７】本発明の第２実施例に係る防塵部材を示す斜視図である。
【図８】同防塵部材の平面図である。
【図９】同防塵部材の側面図である。
【図１０】同防塵部材の座面図である。
【図１１】本発明の防塵部材が対象としている注水タンクの栓取付キャップと、この栓取付キャップに取付られる注水栓とを示すもので、（イ）は注水栓を栓取付キャップの外側から取付けた状態を、また（ロ）は注水栓を栓取付キャップの内側から取付けた状態をそれぞれ示す部分断面図である。
【符号の説明】
１０  防塵部材
１１  キャップ本体
１１ａ  挿入部
１１ｂ  蓋部
１２  取付部
１２ａ  切込部
１２ｂ  指掛部
１３  コップ掛け
１３ａ  挿入口
１３ｂ  補強部
２０  注水タンク
２１  栓取付キャップ
２２  螺着穴
２３  取手
３０  注水栓
３１  螺着筒
３２  コック
３３  吐出口
４０  コップ
【図１】
0003882235.tif 000002
【図２】
0003882235.tif 000003
【図３】
0003882235.tif 000004
【図４】
0003882235.tif 000005
【図５】
0003882235.tif 000006
【図６】
0003882235.tif 000007
【図７】
0003882235.tif 000008
【図８】
0003882235.tif 000009
【図９】
0003882235.tif 000010
【図１０】
0003882235.tif 000011
【図１１】
0003882235.tif 000012